【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
互いに異なる焦点距離を有する複数の光学系のうち、被写界深度が最も浅い第一の光学系を介して得られた画像信号に基づいて焦点検出を行う焦点検出手段と、
前記焦点検出手段からの出力信号に基づいて前記複数の光学系のフォーカス制御を行う制御手段を有することを特徴とする制御装置。
【請求項２】
前記複数の光学系のうち第二の光学系のフォーカスレンズの移動位置を算出する算出手段を有し、
前記制御手段は、前記焦点検出手段からの前記出力信号に基づいて、前記第一の光学系のフォーカスレンズを移動させることにより前記フォーカス制御を行い、
前記算出手段は、前記第一の光学系の前記フォーカスレンズの位置に基づいて、前記第二の光学系の前記フォーカスレンズの移動位置を算出することを特徴とする請求項１に記載の制御装置。
【請求項３】
前記制御手段は、前記焦点検出手段からの出力信号に基づいて、前記複数の光学系の複数のフォーカスレンズを一体的に同じ移動量だけ移動させることにより前記フォーカス制御を行うことを特徴とする請求項１に記載の制御装置。
【請求項４】
撮影条件情報を取得する取得手段と、
前記撮影条件情報に基づいて前記第一の光学系を決定する決定手段を有することを特徴とする請求項１乃至３のいずれか１項に記載の制御装置。
【請求項５】
前記取得手段は、前記撮影条件情報として、前記複数の光学系の焦点距離、および、前記複数の光学系のＦナンバーのそれぞれに関する情報を取得し、
前記決定手段は、前記第一の光学系の焦点距離をｆ1、該第一の光学系のＦナンバーをＦｎｏ1、前記複数の光学系のうち任意の光学系の焦点距離をｆｉ、該任意の光学系のＦナンバーをＦｎｏｉとするとき、
2016090911.tif 000001
を満たす該第一の光学系を決定することを特徴とする請求項４に記載の制御装置。
【請求項６】
前記焦点検出を行う領域を決定する領域決定手段と、
前記領域決定手段により決定された前記領域が前記複数の光学系のそれぞれの撮像領域内に含まれているか否かを判定する判定手段を有し、
前記決定手段は、前記判定手段による判定結果に基づいて前記第一の光学系を決定することを特徴とする請求項４または５に記載の制御装置。
【請求項７】
前記焦点検出手段は、コントラスト方式により焦点検出を行うことを特徴とする請求項１乃至６のいずれか１項に記載の制御装置。
【請求項８】
前記焦点検出手段は、位相差方式により焦点検出を行うことを検出することを特徴とする請求項１乃至６のいずれか１項に記載の制御装置。
【請求項９】
前記焦点検出手段は、
位相差方式により焦点検出を行う第一の焦点検出手段と、
コントラスト方式により焦点検出を行う第二の焦点検出手段を有し、
前記制御手段は、
前記第一の焦点検出手段からの第一の出力信号に基づいて第一のフォーカス制御を行い、
前記第一のフォーカス制御の後、前記第二の焦点検出手段からの第二の出力信号に基づいて第二のフォーカス制御を行うことを特徴とする請求項１乃至８のいずれか１項に記載の制御装置。
【請求項１０】
互いに異なる焦点距離を有する複数の光学系により形成された光学像を光電変換する撮像素子と、
前記複数の光学系のうち被写界深度が最も浅い第一の光学系を介して得られた画像信号に基づいて焦点検出を行う焦点検出手段と、
前記焦点検出手段からの出力信号に基づいて前記複数の光学系のフォーカス制御を行う制御手段を有することを特徴とする撮像装置。
【請求項１１】
前記撮像素子は、前記複数の光学系のそれぞれに対応する複数の撮像領域を有することを特徴とする請求項１０に記載の撮像装置。
【請求項１２】
互いに異なる焦点距離を有する複数の光学系と、
前記複数の光学系により形成された光学像を光電変換する撮像素子と、
前記複数の光学系のうち被写界深度が最も浅い第一の光学系を介して得られた画像信号に基づいて焦点検出を行う焦点検出手段と、
前記焦点検出手段からの出力信号に基づいて前記複数の光学系のフォーカス制御を行う制御手段を有することを特徴とする撮像システム。
【請求項１３】
前記複数の光学系は、同一の焦点距離を有する少なくとも二つの光学系を含むことを特徴とする請求項１２に記載の撮像システム。
【請求項１４】
前記複数の光学系のフォーカス制御の際に、該複数の光学系の複数のフォーカスレンズを一体的に同じ移動量だけ移動可能にする保持手段を更に有することを特徴とする請求項１２または１３に記載の撮像システム。
【請求項１５】
互いに異なる焦点距離を有する複数の光学系と、
前記複数の光学系のうち被写界深度が最も浅い第一の光学系を介して得られた画像信号に基づいて、該複数の光学系のフォーカス制御を行う制御手段を有することを特徴とするレンズ装置。
【請求項１６】
互いに異なる焦点距離を有する複数の光学系のうち、被写界深度が最も浅い第一の光学系を介して得られた画像信号に基づいて焦点検出を行うステップと、
前記焦点検出の結果に基づいて前記複数の光学系のフォーカス制御を行うステップを有することを特徴とする制御方法。
【請求項１７】
互いに異なる焦点距離を有する複数の光学系のうち、被写界深度が最も浅い第一の光学系を介して得られた画像信号に基づいて焦点検出を行うステップと、
前記焦点検出の結果に基づいて前記複数の光学系のフォーカス制御を行うステップをコンピュータに実行させることを特徴とするプログラム。
【請求項１８】
請求項１７に記載のプログラムを記憶していることを特徴とする記憶媒体。
【手続補正２】
【補正対象書類名】明細書
【補正対象項目名】０００７
【補正方法】変更
【補正の内容】
【０００７】
本発明の一側面としての制御装置は、互いに異なる焦点距離を有する複数の光学系のうち、被写界深度が最も浅い第一の光学系を介して得られた画像信号に基づいて焦点検出を行う焦点検出手段と、前記焦点検出手段からの出力信号に基づいて前記複数の光学系のフォーカス制御を行う制御手段を有する。
【手続補正３】
【補正対象書類名】明細書
【補正対象項目名】０００８
【補正方法】変更
【補正の内容】
【０００８】
本発明の他の側面としての撮像装置は、互いに異なる焦点距離を有する複数の光学系により形成された光学像を光電変換する撮像素子と、前記複数の光学系のうち被写界深度が最も浅い第一の光学系を介して得られた画像信号に基づいて焦点検出を行う焦点検出手段と、前記焦点検出手段からの出力信号に基づいて前記複数の光学系のフォーカス制御を行う制御手段を有する。
【手続補正４】
【補正対象書類名】明細書
【補正対象項目名】０００９
【補正方法】変更
【補正の内容】
【０００９】
本発明の他の側面としての撮像システムは、互いに異なる焦点距離を有する複数の光学系と、前記複数の光学系により形成された光学像を光電変換する撮像素子と、前記複数の光学系のうち被写界深度が最も浅い第一の光学系を介して得られた画像信号に基づいて焦点検出を行う焦点検出手段と、前記焦点検出手段からの出力信号に基づいて前記複数の光学系のフォーカス制御を行う制御手段を有する。
【手続補正５】
【補正対象書類名】明細書
【補正対象項目名】００１０
【補正方法】変更
【補正の内容】
【００１０】
本発明の他の側面としてのレンズ装置は、互いに異なる焦点距離を有する複数の光学系と、前記複数の光学系のうち被写界深度が最も浅い第一の光学系を介して得られた画像信号に基づいて、該複数の光学系のフォーカス制御を行う制御手段を有する。
【手続補正６】
【補正対象書類名】明細書
【補正対象項目名】００１１
【補正方法】変更
【補正の内容】
【００１１】
本発明の他の側面としての制御方法は、互いに異なる焦点距離を有する複数の光学系のうち、被写界深度が最も浅い第一の光学系を介して得られた画像信号に基づいて焦点検出を行うステップと、前記焦点検出の結果に基づいて前記複数の光学系のフォーカス制御を行うステップを有する。
【手続補正７】
【補正対象書類名】明細書
【補正対象項目名】００１２
【補正方法】変更
【補正の内容】
【００１２】
本発明の他の側面としてのプログラムは、互いに異なる焦点距離を有する複数の光学系のうち、被写界深度が最も浅い第一の光学系を介して得られた画像信号に基づいて焦点検出を行うステップと、前記焦点検出の結果に基づいて前記複数の光学系のフォーカス制御を行うステップをコンピュータに実行させる。